(57)【特許請求の範囲】
【請求項１】
測定対象者の心臓に向けて電波を照射する電波送信手段と、
前記測定対象者の心臓を透過した電波を受信する電波受信手段と、
前記電波受信手段で受信した心臓を透過した電波を検波して検波信号を検出する検波手段と、
電波が心臓を透過して減衰することによって生じた前記検波信号の振幅又は位相の変化に基づいて心容積及び心拍出量の変化を推定する推定手段と、を備え、
前記電波送信手段と前記電波受信手段とは、前記心臓を電波が透過するように対向して設置されている
ことを特徴とする心容積及び心拍出量の推定装置。
【請求項２】
請求項１に記載する心容積及び心拍出量の推定装置において、
前記推定手段は、
前記電波送信手段により送信された電波の強度をＥ０とし、
前記検波信号の強度をＥとし、
心臓を透過する電波の減衰定数をαとし、
心容積をＶとし、
以下の数式１により推定された心容積Ｖの時系列変化を心容積の変化と推定する
ことを特徴とする心容積及び心拍出量の推定装置。
【数１】
0006566513.tif 000008
【請求項３】
請求項１に記載する心容積及び心拍出量の推定装置において、
前記推定手段は、前記検波信号のうち所定周期内の最大値及び最小値を含む範囲を一回の心臓の鼓動に対応する心拍信号とし、前記最大値の時系列変化を一回拍出量の変化と推定する
ことを特徴とする心容積及び心拍出量の推定装置。
【請求項４】
請求項３に記載する心容積及び心拍出量の推定装置において、
所定期間分の心拍信号の前記最大値を積算して心拍出量推定値とし、
当該心拍出量推定値の時系列変化を心拍出量の変化と推定する
ことを特徴とする心容積及び心拍出量の推定装置。
【請求項５】
請求項１に記載する心容積及び心拍出量の推定装置において、
前記推定手段は、前記検波信号のうち所定周期内の最大値及び最小値を含む範囲を一回の心臓の鼓動に対応する心拍信号とし、前記最大値及び前記最小値の差分値の時系列変化を一回拍出量の変化と推定する
ことを特徴とする心容積及び心拍出量の推定装置。
【請求項６】
請求項５に記載する心容積及び心拍出量の推定装置において、
所定期間分の心拍信号の前記差分値を積算して心拍出量推定値とし、
当該心拍出量推定値の時系列変化を心拍出量の変化と推定する
ことを特徴とする心容積及び心拍出量の推定装置。
【請求項７】
請求項１〜請求項６の何れか一項に記載する心容積及び心拍出量の推定装置において、
前記電波送信手段は、垂直偏波を心臓に向けて照射し、
前記電波受信手段は、心臓の右心室及び右心房又は左心室及び左心房を透過した垂直偏波を受信するように配置されている
ことを特徴とする心容積及び心拍出量の推定装置。
【請求項８】
請求項１〜請求項６の何れか一項に記載する心容積及び心拍出量の推定装置において、
前記電波送信手段は、水平偏波を心臓に向けて照射し、
前記電波受信手段は、心臓の右心室及び左心室又は右心房及び左心房を透過した水平偏波を受信するように配置されている
ことを特徴とする心容積及び心拍出量の推定装置。
【請求項９】
請求項１〜請求項８の何れか一項に記載する心容積及び心拍出量の推定装置において、
人体の胸回りに装着される筒状部材を備え、
前記筒状部材には、前記電波送信手段及び前記電波受信手段が対向するように取り付けられている
ことを特徴とする心容積及び心拍出量の推定装置。
【請求項１０】
請求項１〜請求項８の何れか一項に記載する心容積及び心拍出量の推定装置において、
寝具を備え、
前記寝具の床面側に、前記電波送信手段及び前記電波受信手段の一方を配置し、
前記寝具の上方に、前記電波送信手段及び前記電波受信手段の他方を配置した
ことを特徴とする心容積及び心拍出量の推定装置。
【発明の詳細な説明】
【技術分野】
【０００１】
本発明は、非接触かつ非拘束で心容積及び心拍出量の変化を検出することができる心容積及び心拍出量の推定装置に関する。
【背景技術】
【０００２】
従来、心不全の診断、予後における治療効果又は投薬効果を確認するために、一回拍出量及び心拍出量を計測することが行われている。具体的な計測方法としては、Ｆｉｃｋ法、色素希釈法、スワンガンツカテーテルによる熱希釈法などに代表される観血式が挙げられる。非観血式の計測方法は、キュビチェクの四電極法や超音波エコーによる診断が提案されている。
【０００３】
しかし、これらの計測方法は、測定対象者を拘束する必要があったり、十分な精度がでないなどの問題があり、現在では使用されていない。
【０００４】
一方、本発明者は、心臓を透過したマイクロ波は、心臓の収縮、拡張の動きに応じて振幅や位相が変化することを発見し、このような発見に基づいて、心臓を透過したマイクロ波を解析することで心拍を得ることができる心拍検知装置を提案した（特許文献１参照）。
【０００５】
この特許文献１に係る心拍検知装置によれば、非接触かつ非拘束で測定対象者の心拍を得ることができる。しかしながら、心拍を得ることはできるものの、一回拍出量及び心拍出量やそれらの時系列変化を得ることについては検討されていなかった。
【０００６】
また、心不全の診断等の目的で、心臓の容積（以下、心容積）の変化を測定することも行われているが、非接触かつ非拘束で行うものは提案されていなかった。
【先行技術文献】
【特許文献】
【０００７】
【特許文献１】特開２０１３−１５３７８３号公報
【発明の概要】
【発明が解決しようとする課題】
【０００８】
本発明は、このような事情に鑑み、非接触かつ非拘束で測定対象者の心容積及び心拍出量の時系列変化を検出することができる心容積及び心拍出量の推定装置を提供することを目的とする。
【課題を解決するための手段】
【０００９】
上記目的を達成するための第１の態様は、測定対象者の心臓に向けて電波を照射する電波送信手段と、前記測定対象者の心臓を透過した電波を受信する電波受信手段と、前記電波受信手段で受信した心臓を透過した電波を検波して検波信号を検出する検波手段と、電波が心臓を透過して減衰することによって生じた前記検波信号の振幅又は位相の変化に基づいて心容積及び心拍出量の変化を推定する推定手段と、を備え、前記電波送信手段と前記電波受信手段とは、前記心臓を電波が透過するように対向して設置されていることを特徴とする心容積及び心拍出量の推定装置にある。
【００１０】
本発明の第２の態様は、第１の態様に記載する心容積及び心拍出量の推定装置において、前記推定手段は、前記電波送信手段により送信された電波の強度をＥ０とし、前記検波信号の強度をＥとし、心臓を透過する電波の減衰定数をαとし、心容積をＶとし、以下の数式１により推定された心容積Ｖの時系列変化を心容積の変化と推定することを特徴とする心容積及び心拍出量の推定装置にある。
【数１】
0006566513.tif 000002
【００１１】
第２の態様では、心臓の形状を球体と仮定し、上記式を用いることで心容積の変化を推定することができる。
【００１２】
本発明の第３の態様は、第１の態様に記載する心容積及び心拍出量の推定装置において、前記推定手段は、前記検波信号のうち所定周期内の最大値及び最小値を含む範囲を一回の心臓の鼓動に対応する心拍信号とし、前記最大値の時系列変化を一回拍出量の変化と推定することを特徴とする心容積及び心拍出量の推定装置にある。
【００１３】
本発明の第４の態様は、第３の態様に記載する心容積及び心拍出量の推定装置において、所定期間分の心拍信号の前記最大値を積算して心拍出量推定値とし、当該心拍出量推定値の時系列変化を心拍出量の変化と推定することを特徴とする心容積及び心拍出量の推定装置にある。
【００１４】
本発明の第５の態様は、第１の態様に記載する心容積及び心拍出量の推定装置において、前記推定手段は、前記検波信号のうち所定周期内の最大値及び最小値を含む範囲を一回の心臓の鼓動に対応する心拍信号とし、前記最大値及び前記最小値の差分値の時系列変化を一回拍出量の変化と推定することを特徴とする心容積及び心拍出量の推定装置にある。
【００１５】
本発明の第６の態様は、第５の態様に記載する心容積及び心拍出量の推定装置において、所定期間分の心拍信号の前記差分値を積算して心拍出量推定値とし、当該心拍出量推定値の時系列変化を心拍出量の変化と推定することを特徴とする心容積及び心拍出量の推定装置にある。
【００１６】
本発明の第７の態様は、第１〜第６の何れか一つの態様に記載する心容積及び心拍出量の推定装置において、前記電波送信手段は、垂直偏波を心臓に向けて照射し、前記電波受信手段は、心臓の右心室及び右心房又は左心室及び左心房を透過した垂直偏波を受信するように配置されていることを特徴とする心容積及び心拍出量の推定装置にある。
【００１７】
本発明の第８の態様は、第１〜第６の何れか一つの態様に記載する心容積及び心拍出量の推定装置において、前記電波送信手段は、水平偏波を心臓に向けて照射し、前記電波受信手段は、心臓の右心室及び左心室又は右心房及び左心房を透過した水平偏波を受信するように配置されていることを特徴とする心容積及び心拍出量の推定装置にある。
【００１８】
本発明の第９の態様は、第１〜第８の何れか一つの態様に記載する心容積及び心拍出量の推定装置において、人体の胸回りに装着される筒状部材を備え、前記筒状部材には、前記電波送信手段及び前記電波受信手段が対向するように取り付けられていることを特徴とする心容積及び心拍出量の推定装置にある。
【００１９】
本発明の第１０の態様は、第１〜第８の何れか一つの態様に記載する心容積及び心拍出量の推定装置において、寝具を備え、前記寝具の床面側に、前記電波送信手段及び前記電波受信手段の一方を配置し、前記寝具の上方に、前記電波送信手段及び前記電波受信手段の他方を配置したことを特徴とする心容積及び心拍出量の推定装置にある。
【発明の効果】
【００２０】
本発明によれば、非接触かつ非拘束で測定対象者の心容積及び心拍出量の時系列変化を検出することができる心容積及び心拍出量の推定装置が提供される。
【図面の簡単な説明】
【００２１】
【図１】実施形態１に係る推定装置の外観を示す概略図である。
【図２】実施形態１に係る推定装置の機能を示した図である。
【図３】人体を透過する前後のマイクロ波を示す図である。
【図４】心臓を透過するマイクロ波の電界強度と心臓の大きさの関係を表す図である。
【図５】心臓を透過したマイクロ波を検波して得られた検波信号の一例である。
【図６】実施形態３に係る推定装置の概略図である。
【図７】実施形態４に係る推定装置の概略図である。
【発明を実施するための形態】
【００２２】
〈実施形態１〉
本実施形態に係る心容積及び心拍出量の推定装置（以下、単に推定装置とも称する）について説明する。推定装置は、電波（マイクロ波）により測定対象者の心臓の心容積及び心拍出量の変化を推定する装置である。測定対象者としては、人間以外の動物などについても適用可能であるが、本実施形態では測定対象を人間の心臓として説明する。
【００２３】
［装置構成］
図１は本実施形態に係る推定装置の外観を示す概略図であり、図２は本実施形態に係る推定装置の機能を示した図である。
【００２４】
推定装置１０は、推定手段として推定部１１と、電波送信手段として送信部１２及び送信アンテナ１３と、電波受信手段として受信部１５及び受信アンテナ１４と、検波手段として検波部１６と、サンプリング部１７とを備えている。
【００２５】
送信部１２は、高周波、好ましくは連続するマイクロ波を人体１に対して送信するための装置である。マイクロ波は、人体１の体内を透過して受信することができれば、どのような周波数帯が用いられてもよい。本実施形態では、例えば、サブギガ帯を含む１ＧＨｚ前後の周波数を用いている。送信出力は、受信側にて十分な電力が検出できる程度でよい。本実施形態では、数ｍ〜数十ｍＷとした。送信部１２は、図示しないマイクロ波発振器によって生成された高周波信号を送信アンテナ１３へ供給する。
【００２６】
送信アンテナ１３は、送信部１２によって送信されたマイクロ波を人体１の心臓へ向けて照射する機器である。受信アンテナ１４は、送信アンテナ１３から放射されたマイクロ波を受信するための機器である。具体的には、送信アンテナ１３及び受信アンテナ１４は、無指向のダイポールアンテナである。送信アンテナ１３及び受信アンテナ１４は、人体１の心臓２をマイクロ波が透過するように対向して設置され、信号を取得するために最適な間隔で保持されている。偏波については水平偏波、垂直偏波のどちらを使用してもよい。
【００２７】
なお、本実施形態では、送信アンテナ１３は人体１の前面、受信アンテナ１４は人体１の背面に設置した構成を例示したが、逆でもよい。また、送信アンテナ１３及び受信アンテナ１４はダイポールアンテナを用いたが、アンテナの形式は特に限定はなく、また、指向性のあるアンテナを用いてもよい。さらに、受信アンテナ１４は、一つに限らず、複数個用いてもよい。無指向性の送信アンテナ１３を一つ、複数の受信アンテナ１４を用いる場合は、ダイポールアンテナを用いることが好ましい。
【００２８】
受信部１５は、受信アンテナ１４によって送信されたマイクロ波を受信した信号を、検波部１６が必要とする信号へ変換する手段である。検波部１６は、受信部１５によって受信したマイクロ波の検波を行う手段である。検波部１６は、包絡線検波（振幅検波）もしくは位相検波によってマイクロ波の復調を行う。
【００２９】
サンプリング部１７は、検波信号を既定の周波数によってサンプリングし、デジタル信号列に変換する手段である。
【００３０】
推定部１１は、送信部１２に対してマイクロ波の出力を指示したのち、サンプリング部１７から受信したデジタル信号列を解析し、心容積及び心拍出量の変化を推定するための手段である。詳細な動作については後述する。
【００３１】
なお、本実施形態では、推定部１１は、一般的なパーソナルコンピュータなどの情報処理装置により実行されるプログラムの機能として実装されている。また、送信部１２、受信部１５、検波部１６及びサンプリング部１７は当該情報処理装置に搭載された電子回路（ハードウェア）として実装され、推定部１１により制御が可能となっている。もちろん、推定部１１、送信部１２、受信部１５、検波部１６及びサンプリング部１７のそれぞれはプログラムで実装されてもよいし、電子回路で実装されていてもよい。
【００３２】
［マイクロ波の変化］
ここで、図３を用いて、人体１を透過したマイクロ波が変化することについて説明する。
【００３３】
図３は、人体１を透過する前後のマイクロ波を示す図である。図３の横軸は時間、縦軸は電界強度を示している。図３（ａ）は送信アンテナ１３により放射されるマイクロ波の電界強度を時系列で示すものであり、その電界強度は一定のＥ０である。図３（ｂ）は人体１を透過したマイクロ波を受信アンテナ１４により受信し、検波部１６で検波した検波信号の電界強度を時系列で示すものである。
【００３４】
特許文献１にも記載されているように、マイクロ波を人体１に照射すると、誘電率が高い箇所では、誘電率が低い箇所と比較して信号の減衰率が大きくなる。心臓は、周辺の器官と比較して誘電率が高いため、収縮期と比較すると、拡張期においてより大きく信号が減衰、すなわち受信したマイクロ波の振幅が小さくなる。このように、マイクロ波が透過する経路上に心臓があり、体内での動きに変動がある場合、マイクロ波の伝搬特性が体内器官の変位で変動する。
【００３５】
例えば、図３（ａ）には電界強度Ｅ０で一定のマイクロ波が放射されたことが示されているが、人体を透過した後は、図３（ｂ）に示すように、心臓の収縮・拡張に合わせて電界強度（振幅）が変化したマイクロ波が観測される。この例では、電界強度の変化であるが、心臓の収縮・拡張によりマイクロ波の位相にも変化が生じる。
【００３６】
このように、検波信号の電界強度や位相の変化は、心臓の収縮・拡張に密接に関連した情報であると考えられるので、これを解析することで、心容積や心拍出量の変化を推定することができる。
【００３７】
［心容積の変化の推定］
ここで、検波信号に基づいて心容積の変化を推定する処理について説明する。図４は、心臓を透過するマイクロ波の電界強度と心臓の大きさの関係を表す図である。
【００３８】
心臓の形状が球体であると仮定し、その直径をｌ［ｍ］、その容積をＶ［ｍ３］とする。また、送信アンテナ１３から放射されたマイクロ波の電界強度をＥ０［Ｖ］とする。検波部１６で受信された検波信号の電界強度をＥ［Ｖ］とする。
【００３９】
上述したように、マイクロ波は心臓を透過すると電界強度が減衰する。この減衰は、心臓を透過する距離に依存する。つまり、心臓が拡張して直径ｌが大きくなれば電界強度の減衰は大きく、心臓が収縮して直径ｌが小さくなれば電界強度の減衰は小さい。心臓を透過する前後の電界強度Ｅ０とＥの関係は次の数式１で表される。
【００４０】
【数１】
0006566513.tif 000003
【００４１】
ここでαは、マイクロ波が心臓を透過するときの減衰定数である。減衰定数αは、例えば、数式２に示すものを用いることができる。
【００４２】
【数２】
0006566513.tif 000004
減衰定数αの単位は［Ｎｐ／ｍ］であり、ωはマイクロ波の角周波数［ｒａｄ／ｓ］であり、ε、σ、μはそれぞれ心臓の誘電率、導電率、透磁率である。
【００４３】
心臓が球形であると仮定して式１を直径ｌについて書き直すと、数式３となる。
【００４４】
【数３】
0006566513.tif 000005
【００４５】
つまり、心臓の直径ｌは、心臓を透過する前後の電界強度Ｅ０とＥの比率に依存していることが分かる。ここで、心臓は球体であると仮定したので、心臓の半径をｒとすると、心容積Ｖは数式４で表すことができる。そして、数式４に数式３を代入すると数式５が得られる。
【００４６】
【数４】
0006566513.tif 000006
【００４７】
【数５】
0006566513.tif 000007
【００４８】
このように、心容積Ｖは、心臓を透過する前後の電界強度Ｅ０とＥの比率の３乗に依存しており、電界強度Ｅ０とＥとから心容積Ｖを得ることができる。
【００４９】
上述した原理に基づき、推定部１１は、心容積Ｖの変化を推定する。すなわち、電界強度に基づいて計算された時系列の心容積Ｖを得る。具体的には以下のように処理する。
【００５０】
まず、誘電率ε、導電率σ、透磁率μについてのデータをメモリ等に予め記憶させておく。
【００５１】
次に、推定部１１は、送信アンテナ１３から電界強度Ｅ０、角周波数ωでマイクロ波を放射するように送信部１２を制御する。推定部１１により制御された送信部１２は、電界強度Ｅ０、角周波数ωでマイクロ波を送信アンテナ１３から照射させる。
【００５２】
送信アンテナ１３から照射されたマイクロ波は人体１の心臓２を透過し、受信アンテナ１４を介して受信部１５に受信される。
【００５３】
受信部１５により受信された信号は、検波部１６により検波される。検波の方法は振幅検波（包絡線検波）を用いることができる。検波部１６により検波された検波信号は、サンプリング部１７によりサンプリングされる。
【００５４】
サンプリング処理は、Ａ／Ｄ変換器やソフトウェアによる処理により行われる。サンプリング部１７の処理により、時間と電界強度Ｅで心臓の収縮・拡張を表したデジタル信号列を得ることができる（図３（ｂ）参照）。ｉ番目のサンプリング周期における電界強度ＥをＥ（ｉ）と表す。
【００５５】
次に、推定部１１は、サンプリング部１７から取得したデジタル信号列を用いて、心容積Ｖを計算する。具体的には、メモリに記憶した誘電率ε、導電率σ、透磁率μから上記数式２に基づいて減衰定数αを計算する。
【００５６】
次に、送信部１２に設定した電界強度Ｅ０と、各Ｅ（ｉ）と、減衰定数αから上記数式５を用いて心容積Ｖを計算する。ｉ番目のサンプリング周期における心容積ＶをＶ（ｉ）と表す。以降、サンプリングした電界強度Ｅ（ｉ）の全てについて心容積Ｖ（ｉ）を計算する。このようにして、推定装置１０によれば、心容積Ｖ（ｉ）の時系列データを得ることができる。
【００５７】
以上に説明したように、推定装置１０によれば、人体に対して非接触であり、かつ人体を非拘束で心容積Ｖの変化を推定することができる。つまり、心容積Ｖの時系列の推移をみることで、心臓がどの程度の早さ、どの程度の幅で収縮・拡張をしているかなど心臓の鼓動の状態を把握することができる。このように心臓の鼓動の状態を把握できるので、測定対象者を拘束して負担を強いることなく、例えば心不全の診断、予後における治療効果又は投薬効果を確認することができる。
【００５８】
なお、心容積Ｖの変化は例えば、基準となる心容積Ｖ０を決め、それに対する比率を求めてもよい。つまり、サンプリング周期毎にＶ（ｉ）／Ｖ０を計算してもよい。これにより、心容積Ｖ０を基準とした相対的な心容積を時系列で把握できる。
【００５９】
［心拍出量の変化の推定］
ここで、検波信号に基づいて一回拍出量及び心拍出量の変化を推定する処理について説明する。一回拍出量とは、心臓が一回の収縮によって動脈へ拍出する血液の量［ｍＬ］であり、拍出量とは、一回拍出量に単位時間あたりの心拍数を乗じた量［ｍＬ／分］である。
【００６０】
図５は、心臓を透過したマイクロ波を検波して得られた検波信号の一例である。縦軸は電界強度［Ｖ］であり、横軸は時間であり、検波信号が時系列に表示されている。
【００６１】
検波信号には、心臓の収縮・拡大に対応して電界強度が変化した周期的な信号が含まれている。この検波信号に含まれる所定周期内の最大値及び最小値を含む範囲を一回の心臓の鼓動に対応する心拍信号とする。検波信号からは時系列の心拍信号が得られるが、ｉ番目の心拍信号をＳ（ｉ）とし、その心拍信号の最大値をＭａｘ（ｉ）、最小値をＭｉｎ（ｉ）と表記する。
【００６２】
例えば、同図には、１番目の心拍信号として最大値Ｍａｘ（１）と最小値Ｍｉｎ（１）とを含む心拍信号Ｓ１、２番目の心拍信号として最大値Ｍａｘ（２）と最小値Ｍｉｎ（２）とを含む心拍信号Ｓ（２）が例示されている。
【００６３】
本発明者は、本発明により得た検波信号に、別途に取得した心電図を重ねて検討したところ、心拍信号が増加する範囲は心臓の収縮に対応し、心拍信号が減少する範囲は心臓の拡張に対応していることを確認した。
【００６４】
心拍信号は最小値から最大値に増加する範囲が心臓の収縮に対応している、という知見と、心臓の収縮に伴い血流が心臓から動脈に拍出されているということからすれば、心拍信号の最大値は、一回拍出量に相関すると考えられる。すなわち、心拍信号の最大値が大きいほど、一回拍出量が多いと考えられる。
【００６５】
したがって、心拍信号が心臓の左心室を透過して得られたものであるならば、時系列の心拍信号の最大値の推移を一回拍出量の変化と捉えることができる。例えば、Ｍａｘ（ｉ）が略一定であれば、一回拍出量は安定していると判断できる。Ｍａｘ（ｉ）が減少・増加を繰り返していれば、一回拍出量は不安定であると判断できる。このように、一回拍出量の変化は、Ｍａｘ（ｉ）の時系列変化により捉えることができる。なお、心拍信号が心臓の左心室を透過して得られたものとまでは言えない場合は、時系列の心拍信号の最大値の推移を心容積の変化と捉える。以降の例では、心拍信号が左心室を透過したものであると仮定し、一回拍出量の変化について説明するが、一回拍出量を心容積と読み替えることで、心拍信号から心容積の変化を得ることができる。
【００６６】
なお、一回拍出量の変化は、例えば、基準となる最大値Ｍａｘ０を決め、それに対する比率を求めてもよい。つまり、Ｍａｘ’（ｉ）＝Ｍａｘ（ｉ）／Ｍａｘ０を計算してもよい。これにより、Ｍａｘ０を基準とした相対的な最大値を時系列で把握できる。
【００６７】
また、一回拍出量の変化は、心拍信号の最大値の推移以外にも推定することができる。例えば、心拍信号に含まれる最大値と最小値の差分をとる。この差分を差分値と称する。
【００６８】
心拍信号が最小値であるときの心臓の状態は、最も拡張したときであり、最大値であるときの心臓の状態は最も収縮したときである。したがって、差分値も一回拍出量に相関すると考えられる。すなわち、差分値が大きいほど、一回拍出量が多いと考えられる。
【００６９】
したがって、時系列の差分値の推移を一回拍出量の変化と捉えることができる。ｉ番目の心拍信号の差分値をＡ（ｉ）とすると、例えば、Ａ（ｉ）が略一定であれば、一回拍出量は安定していると判断できる。Ａ（ｉ）が減少・増加を繰り返していれば、一回拍出量は不安定であると判断できる。このように、一回拍出量の変化は、Ａ（ｉ）の時系列変化により捉えることができる。
【００７０】
ここで、最大値の変化を一回拍出量の変化と推定する場合、例えば、Ｍａｘ（ｉ）とＭａｘ（ｊ）とが同じ値である場合、一回拍出量に変化がないとも判断できる。しかし、Ｍｉｎ（ｉ）とＭｉｎ（ｊ）とが異なる場合、一回拍出量には変化が生じている可能性が高い。一方、差分値は、最大値と最小値との差分であるため、上記の場合はＡ（ｉ）とＡ（ｊ）が異なる値となり、一回拍出量に変化があると判断できる。
【００７１】
このように、差分値は、最大値と最小値との差分であるため、一回拍出量の変化をより正確に推定することができる。
【００７２】
なお、一回拍出量の変化は、例えば、基準となる差分値Ａ０を決め、それに対する比率を求めてもよい。つまり、Ａ’（ｉ）＝Ａ（ｉ）／Ａ０を計算してもよい。これにより、Ａ０を基準とした相対的な差分値を時系列で把握できる。
【００７３】
また、一回拍出量の変化のみならず、心拍出量の変化も推定することができる。例えば、ある時点を基準として１分間前までの心拍信号の最大値を積算した値を心拍出量推定値とする。この心拍出量推定値を時系列で生成することで心拍出量の変化を推定することができる。例えば、心拍出量推定値が略一定であれば心拍出量は安定していると判断できるし、増減していれば不安定であると判断することができる。
【００７４】
心拍出量推定値は、心拍信号の最大値を積算する場合のみならず、上述した差分値を積算することにより得てもよい。この場合でも最大値を積算した場合と同様に心拍出量の変化を推定することができる。
【００７５】
また、この心拍出量推定値についても、基準となる心拍出量推定値を定めておき、それに対する比率を求めてもよい。これにより、基準となる心拍出量推定値に対する相対的な心拍出量推定値を時系列で把握できる。
【００７６】
上述した原理に基づき、推定部１１は、一回拍出量の変化を推定する。すなわち、心拍信号を抽出し、その最大値の変化、または最大値及び最小値の差分値の変化を得る。具体的には以下のように処理する。なお、検波信号を得るまでの処理は心容積を得る場合の処理と同様であるので説明は省略する。
【００７７】
推定部１１は、サンプリング部１７から取得したデジタル信号列を用いて、心拍信号を抽出する。これは、予め定められた所定周期内に存在する最大値と最小値とを検出し、最初の最小値から次の最小値までの間を一つの心拍信号とする。この処理を得られたデジタル信号列に適用することで心拍信号Ｓ（ｉ）が得られる。
【００７８】
次に、各心拍信号Ｓ（ｉ）の最大値Ｍａｘ（ｉ）を抽出する。又は、各心拍信号Ｓ（ｉ）について最大値と最小値との差分値Ａ（ｉ）を計算する。このようにして、推定装置１０によれば、心拍信号の最大値の時系列データ、又は差分値の時系列データを得ることができる。
【００７９】
以上に説明したように、推定装置１０によれば、人体に対して非接触であり、かつ人体を非拘束で一回拍出量及び心拍出量の変化を推定することができる。つまり、心拍信号の最大値又は差分値について時系列の推移をみることで、心臓の一回拍出量及び心拍出量の変化を把握することができる。このように心臓の一回拍出量及び心拍出量を把握できるので、測定対象者を拘束して負担を強いることなく、例えば心不全の診断、予後における治療効果又は投薬効果を確認することができる。
【００８０】
〈実施形態２〉
実施形態１に係る推定装置１０は、人体１の心臓２全体にマイクロ波を照射するものであったが、このような態様に限定されない。
【００８１】
水平偏波又は垂直偏波を使い分けることで、心臓の右心室、右心房、左心室又は左心房の何れかにマイクロ波を照射し、各心室・心房における心容積及び一回拍出量を推定することも可能である。
【００８２】
例えば、送信アンテナ１３は、垂直偏波を心臓に向けて照射し、受信アンテナ１４は、心臓の右心室及び右心房を透過した垂直偏波を受信するように配置してもよい。これにより、右心室及び右心房の心容積又は一回拍出量を推定することができる。もちろん、左心室及び左心房についても同様である。
【００８３】
また、送信アンテナ１３は、水平偏波を心臓に向けて照射し、受信アンテナ１４は、心臓の右心室及び左心室を透過した水平偏波を受信するように配置してもよい。これにより、右心室及び左心室の心容積又は一回拍出量を推定することができる。もちろん、右心房及び左心房についても同様である。
【００８４】
〈実施形態３〉
本発明に係る推定装置は、装置構成としてはマイクロ波の送受信が行えるアンテナと、受信した電波を検波し、検波信号を処理する計算能力を備えた装置であればよい。したがって、推定装置は、様々な利用環境に適応した形状とすることができる。
【００８５】
図６は、本実施形態に係る推定装置の概略図である。同図に示すように、本実施形態に係る推定装置１０は、人体の胸回りに装着される筒状部材２０を備えている。
【００８６】
筒状部材２０は、例えば、伸縮性のある繊維で形成された、いわゆる腹巻きのような部材である。もちろん、筒状部材２０は、このような態様に限定されず、天然又は人工の繊維で形成された帯状の部材を、筒状に丸めて固定したものであってもよい。筒状部材２０には、送信アンテナ１３及び受信アンテナ１４が対向するように取り付けられている。
【００８７】
このような筒状部材２０は、人体の胸回りに装着され、心臓を透過するように送信アンテナ１３と受信アンテナ１４間で電波の送受信がなされる。
【００８８】
そして、送信アンテナ１３及び受信アンテナ１４は、スマートフォン３に接続されている。スマートフォン３は、実施形態１で説明した推定装置１０の推定部１１、送信部１２、受信部１５、検波部１６、及びサンプリング部１７を電子回路又はソフトウェアの機能として有する。
【００８９】
スマートフォン３においては、推定部１１により、心容積や一回拍出量及び心拍出量が時系列で計算されて蓄積されるので、家庭などで心臓の状態を記録することができる。そして、スマートフォン３に記録されたデータを専門家が判断することができる。このような態様の推定装置１０によれば、専門家を介在させずに、家庭などで心臓の心容積や一回拍出量及び心拍出量を把握することができ、後日に専門家による診断を行うことができる。
【００９０】
また、腹巻きのように防寒具として機能するので、装着者に拘束されているという感覚を生じさせないことができる。
【００９１】
〈実施形態４〉
図７は、本実施形態に係る推定装置の概略図である。同図に示すように、本実施形態に係る推定装置１０は、人が就寝する寝具３０を備えている。
【００９２】
寝具の床面側、ここでは寝具３０の内部に、送信アンテナ１３を配置し、寝具３０の上方に受信アンテナ１４を配置してある。もちろん、送信アンテナ１３と受信アンテナ１４とは逆の配置であってもよい。
【００９３】
このような態様の推定装置１０によれば、人体が寝具３０に横になった状態で、拘束されることなく、心臓の心容積や一回拍出量及び心拍出量を把握することができる。
【符号の説明】
【００９４】
１     人体
２     心臓
１０   推定装置
１１   推定部
１２   送信部
１３   送信アンテナ
１４   受信アンテナ
１５   受信部
１６   検波部
１７   サンプリング部
２０   筒状部材
３０   寝具
【図１】
0006566513.tif 000009
【図２】
0006566513.tif 000010
【図３】
0006566513.tif 000011
【図４】
0006566513.tif 000012
【図５】
0006566513.tif 000013
【図６】
0006566513.tif 000014
【図７】
0006566513.tif 000015